(57)【要約】【課題】ゲルブロックが発生しにくい吸収体及びそれを備えた吸収性物品を提供する。【解決手段】本発明の吸収性物品用の吸収体１は、液吸収性を有する吸収性コア２と、該吸収性コア２を被覆するコアラップシート４と、を備える。吸収性コア２は、熱可塑性繊維を有する繊維層５と、該繊維層５に分散して配置される、Ｖｏｒｔｅｘ法による吸収速度が２５秒以下の高吸収性ポリマー粒子６と、を含有し、該高吸収性ポリマー粒子６は、肌側面に配置される第１粒子６Ａと、着衣側面に配置される、第１粒子６Ａより粒径の小さい第２粒子６Ｂと、を含む。【選択図】図１
2013252332.tif 000002
【特許請求の範囲】
【請求項１】
液吸収性を有する吸収性コアと、該吸収性コアを被覆するコアラップシートと、を備える吸収性物品用の吸収体であって、
前記吸収性コアは、
熱可塑性繊維を有する繊維層と、
該繊維層に分散して配置される、Ｖｏｒｔｅｘ法による吸収速度が２５秒以下の高吸収性ポリマー粒子と、を含有し、
該高吸収性ポリマー粒子は、
肌側面に配置される第１粒子と、
着衣側面に配置される、前記第１粒子より粒径の小さい第２粒子と、を含むこと、
を特徴とする吸収性物品用の吸収体。
【請求項２】
請求項１に記載の吸収性物品用の吸収体であって、
前記第１粒子のＶｏｒｔｅｘ法による吸収速度は、前記第２粒子のＶｏｒｔｅｘ法による吸収速度よりも大きいこと、
を特徴とする吸収性物品用の吸収体。
【請求項３】
前記第２粒子のＶｏｒｔｅｘ法による吸収速度に対する前記第１粒子のＶｏｒｔｅｘ法による吸収速度の比は、１．０〜１．５の範囲である請求項２に記載の吸収体。
【請求項４】
請求項２又は３に記載の吸収性物品用の吸収体であって、
前記第１粒子はＶｏｒｔｅｘ法による吸収速度が２２秒より大きく２５秒以下であり、
前記第２粒子はＶｏｒｔｅｘ法による吸収速度が２２秒以下であること、
を特徴とする吸収性物品用の吸収体。
【請求項５】
請求項１から４のいずれか１項に記載の吸収性物品用の吸収体であって、
前記第１粒子の粒径は３５０μｍ〜８５０μｍであり、
前記第２粒子の粒径は１５０μｍ〜４５０μｍであること、
を特徴とする吸収性物品用の吸収体。
【請求項６】
請求項１から５のいずれか１項に記載の吸収性物品用の吸収体であって、
前記吸収性コアの着衣側に、親水性繊維シートを含むこと、
を特徴とする吸収性物品用の吸収体。
【請求項７】
請求項１から６のいずれか１項に記載の吸収性物品用の吸収体であって、
前記コアラップシートは、前記吸収性コアの肌側面側に配置される部分の坪量が、前記吸収性コアの着衣側面側に配置される部分より小さいこと、
を特徴とする吸収性物品用の吸収体。
【請求項８】
請求項１から７のいずれか１項に記載の吸収性物品用の吸収体であって、
前記コアラップシートは、前記吸収性コアの着衣側面側に配置される部分の枚数が、前記吸収性コアの肌側面側に配置される枚数より多いこと、
を特徴とする吸収性物品用の吸収体。
【請求項９】
液透過性表面シートと、液不透過性裏面シートと、前記液透過性表面シートと前記液不透過性裏面シートとの間に介在する請求項１から８のいずれか１項に記載の吸収体と、を備えるとともに、長手方向に沿って、前胴周り域と、後胴周り域と、これら両域間に位置する股下域とを備える吸収性物品であって、
前記股下域には、その幅方向の側縁側に、前記吸収性物品の着用時に前記吸収性コアから立設する一対の防液カフが設けられ、
前記防液カフはそれぞれ、
前記着用時に収縮して該防液カフを立設させる２以上の弾性部材と、
該防液カフにおける、前記液透過性表面シートに取り付けられている部分から、前記弾性部材のうちの最も幅方向外側に配置された弾性部材よりも内側まで延びている液不透過性フィルムと、を有すること、
を特徴とする吸収性物品。
【発明の詳細な説明】
【技術分野】
【０００１】
本発明は、吸収体に関する。より詳しくは、使い捨ておむつや生理用ナプキン等の吸収性物品に好適に用いることのできる吸収体及びそれを備えた吸収性物品に関する。
【背景技術】
【０００２】
従来、使い捨ておむつや生理用ナプキン等の吸収性物品では、パルプ等の親水性繊維材料と、この親水性繊維材料に分散された高吸収性ポリマー粒子と、からなる吸収体が用いられている。このような吸収体において、吸収性物品を着用する着用者から排泄された尿や経血等の液体は、まず、吸収速度の速い親水性繊維に吸収され、その後、高吸収性ポリマー粒子に吸収される。
また、吸収体を、熱可塑性繊維からなる繊維層とこの繊維層に分散されて配置された高吸収性ポリマー粒子と、を含んで構成すると共に、高吸収性ポリマー粒子の含有量を多くすることで、吸収体の厚さを薄くしつつ液体の吸収性を高く保つ技術も提案されている（例えば、特許文献１参照）。
【先行技術文献】
【特許文献】
【０００３】
【特許文献１】特開平１０−１１８１１３号公報
【発明の概要】
【発明が解決しようとする課題】
【０００４】
しかし、高吸収性ポリマー粒子の含有量を多くすると、体液を吸収する際に、膨潤した高吸収性ポリマー粒子間で合着するゲルブロックが発生する。そして、ゲルブロックが発生した部分では、体液が浸透せず、漏れ出す可能性がある。
【０００５】
本発明は、ゲルブロックが発生しにくい吸収体及びそれを備えた吸収性物品を提供することを目的とする。
【課題を解決するための手段】
【０００６】
本発明は、液吸収性を有する吸収性コアと、該吸収性コアを被覆するコアラップシートと、を備える吸収性物品用の吸収体であって、前記吸収性コアは、熱可塑性繊維を有する繊維層と、該繊維層に分散して配置される、Ｖｏｒｔｅｘ法による吸収速度が２５秒以下の高吸収性ポリマー粒子と、を含有し、該高吸収性ポリマー粒子は、肌側面に配置される第１粒子と、着衣側面に配置される、前記第１粒子より粒径の小さい第２粒子と、を含むこと、を特徴とする吸収性物品用の吸収体に関する。
【０００７】
前記第２粒子のＶｏｒｔｅｘ法による吸収速度に対する前記第１粒子のＶｏｒｔｅｘ法による吸収速度の比は、１．０〜１．５の範囲であることが好ましい。
【０００８】
前記第１粒子のＶｏｒｔｅｘ法による吸収速度は、前記第２粒子のＶｏｒｔｅｘ法による吸収速度よりも大きいことが好ましい。
【０００９】
前記第１粒子はＶｏｒｔｅｘ法による吸収速度が２２秒より大きく２５秒以下であり、前記第２粒子はＶｏｒｔｅｘ法による吸収速度が２２秒以下であることが好ましい。
【００１０】
前記第１粒子の粒径は３５０μｍ〜８５０μｍであり、前記第２粒子の粒径は１５０μｍ〜４５０μｍであることが好ましい。
【００１１】
前記吸収性コアの着衣側に、親水性繊維シートを含むことが好ましい。
【００１２】
前記コアラップシートは、前記吸収性コアの肌側面側に配置される部分の坪量が、前記吸収性コアの着衣側面側に配置される部分より小さいことが好ましい。
【００１３】
前記コアラップシートは、前記吸収性コアの着衣側面側に配置される部分の枚数が、前記吸収性コアの肌側面側に配置される枚数より多いことが好ましい。
【００１４】
また、本発明は、液透過性表面シートと、液不透過性裏面シートと、前記液透過性表面シートと前記液不透過性裏面シートとの間に介在する請求項１から５のいずれか１項に記載の吸収体と、を備えるとともに、長手方向に沿って、前胴周り域と、後胴周り域と、これら両域間に位置する股下域とを備える吸収性物品であって、前記股下域には、その幅方向の側縁側に、前記吸収性物品の着用時に前記吸収性コアから立設する一対の防液カフが設けられ、前記防液カフはそれぞれ、前記着用時に収縮して該防液カフを立設させる２以上の弾性部材と、該防液カフにおける、前記液透過性表面シートに取り付けられている部分から、前記弾性部材のうちの最も幅方向外側に配置された弾性部材よりも内側まで延びている液不透過性フィルムと、を有することを特徴とする吸収性物品に関する。
【発明の効果】
【００１５】
本発明の吸収性物品用の吸収体によると、ゲルブロックが発生しにくい吸収体及びそれを備えた吸収性物品を提供することができる。
【図面の簡単な説明】
【００１６】
【図１】本発明の第１実施形態にかかる使い捨ておむつや生理用ナプキン等の吸収性物品に用いられる本発明の吸収体の断面図である。
【図２】本発明の第２実施形態にかかる使い捨ておむつや生理用ナプキン等の吸収性物品に用いられる本発明の吸収体の断面図である。
【図３】本発明の第３実施形態にかかる使い捨ておむつや生理用ナプキン等の吸収性物品に用いられる本発明の吸収体の断面図である。
【図４】本発明の第４実施形態であり、第１実施形態の吸収体を用いた使い捨ておむつの展開図である。
【図５】おむつを着用状態にしたときの、図４のＸ−Ｘ線断面図である。
【発明を実施するための形態】
【００１７】
（第１実施形態）
以下、本発明の第１実施形態の吸収体１について説明する。
図１は、後述する使い捨ておむつや生理用ナプキン等の吸収性物品に用いられる吸収体１の断面図である。
図示するように、吸収体１は、吸収性コア２と、吸収性コア２の着衣側に配置される繊維シート３と、吸収性コア２と繊維シート３とを被覆するコアラップシート４とを備える薄型のシート体である。
吸収性コア２は、熱可塑性繊維からなる繊維層５に高吸収性ポリマー粒子６が分散したものである。吸収性コア２は、肌と対向する側（肌と当接する側）となる肌側面２Ａと、着衣と対向する側（着衣と当接する側）となる着衣側面２Ｂとを有する。
【００１８】
繊維層５は、熱可塑性繊維の一部が熱融着して形成された３次元の網目構造を有している。繊維層５を構成する熱可塑性繊維としては、繊度が０．５ｄｔｅｘ〜１０ｄｔｅｘのものが好適に用いられる。また、繊維層５の吸水性を向上させる観点から、熱可塑性繊維には、親水化処理が施されることが好ましい。また、繊維層５に含まれる繊維全体の坪量は、２０ｇ〜１００ｇ／ｍ２であることが好ましく、繊維層５の見かけの密度は、０．０１ｇ〜０．０５ｇ／ｃｍ３であることが好ましい。
【００１９】
繊維層５を構成する熱可塑性繊維としては、低融点成分からなるシース部と高融点成分からなるコア部とを備えるシースコア型の複合繊維に親水化処理を施し、さらに機械捲縮加工を施した捲縮繊維や、熱収縮率の異なる２つの樹脂成分により構成されるサイドバイサイド型の潜在捲縮性繊維が挙げられる。
【００２０】
高吸収性ポリマー粒子６は、繊維層５に分散して配置される。高吸収性ポリマー粒子６としては、少なくとも２０ｇ／ｇの保水率を有するものを用いることが好ましい。
高吸収性ポリマー粒子６は、熱可塑性繊維と共に積繊されて熱可塑性繊維中に分散配置される。そして、その後、熱可塑性繊維が熱融着されることで、繊維層５が形成され、この繊維層５中に高吸収性ポリマー粒子６が分散配置されることとなる。
【００２１】
第１実施形態の吸収性コア２は、４０重量％〜５重量％の熱可塑性繊維と、６０重量％〜９５重量％の高吸収性ポリマー粒子と、により形成される。
【００２２】
本発明で用いられる高吸収性ポリマー粒子６は、ＪＩＳ  Ｋ  ７２２４に準拠したＶｏｒｔｅｘ法による吸収速度が２５秒以下の吸収速度の早いものである。本実施形態においては、高吸収性ポリマー粒子６は、吸収性コア２の肌側面２Ａ側に存在する第１粒子６Ａと、吸収性コア２の着衣側面２Ｂ側に存在する第２粒子６Ｂと、を含む。そして、高吸収性ポリマー粒子６のうちの、吸収性コア２の肌側面２Ａ側に存在する第１粒子６Ａの粒径は、吸収性コア２の着衣側面２Ｂ側に存在する第２粒子６Ｂの粒径より大きい（第２粒子６Ｂの粒径は、第１粒子６Ａの粒径より小さい）。
具体的には、第１粒子の粒径は３５０μｍ〜８５０μｍであり、第２粒子の粒径は１５０μｍ〜４５０μｍであることが好ましい。
【００２３】
「肌側面２Ａ側に存在する第１粒子６Ａの粒径」とは、例えば、吸収性コア２を肌側面２Ａから写真撮影し、撮影された写真内の粒子の径を計測して平均した値である。例えば、吸収性コア２における１０平方センチメートル等の単位面積内の粒子の平均粒径を測定する。
「着衣側面２Ｂ側に存在する第２粒子６Ｂの粒径」も、例えば、吸収性コア２を着衣側面２Ｂから写真撮影し、撮影された写真内の粒子の径を計測し、平均した値である。例えば、吸収性コア２における１０平方センチメートル等の単位面積内の粒子の平均粒径を測定する。
【００２４】
また、第１粒子６ＡのＶｏｒｔｅｘ法による吸収速度は、第２粒子６ＢのＶｏｒｔｅｘ法による吸収速度よりも大きい。具体的には、第１粒子６Ａは、Ｖｏｒｔｅｘ法による吸収速度が２２秒より大きく２５秒以下であり、第２粒子６Ｂは２２秒以下である。すなわち、吸収性コア２においては、肌側のほうが着衣側よりも体液の吸収が遅い。
Ｖｏｒｔｅｘ法による吸収速度は、２．０ｇの高吸収性ポリマー粒子６が０．９％の生理食塩水５０ｇを吸収するのに要する時間で表される。高吸収性ポリマー粒子６の保水率は、１ｇの高吸収性ポリマー粒子６を０．９％生理食塩水１ｌに１時間浸漬し、１５分間の水切りをしてから８５０ｒｐｍで９０秒間遠心分離した後の重量によって表される。
【００２５】
また、図１に一例として示す高吸収性ポリマー粒子６の形状は表面が滑らかな球形であるが、これに限定されず、例えば、高吸収性ポリマー粒子の表面に凹凸があっても良い。表面に凹凸があると、高吸収性ポリマー粒子６は、繊維層５に引っ掛かり易く、吸収性コア２から脱落し難くなるとともに、表面積が相対的に大きくなるので、吸収速度も向上する。さらに、高吸収性ポリマー粒子６は、球形でなく、楕円や立方体や円錐等の形状であってもよい。このように粒子が球形でない場合は、上述のように写真撮影を行い、撮影された粒子の面積を測定し、その面積と同じ面積を有する円の粒径により、第１粒子と第２粒子の径の平均を求める。
【００２６】
なお、吸収性コア２の肌側面２Ａ側と着衣側面２Ｂとの間の領域の高吸収性ポリマー粒子６は、肌側面２Ａから着衣側面２Ｂに向かって、粒径が漸次減少し、Ｖｏｒｔｅｘ法による吸収速度が漸次短くなるように変化してもよい。
また、吸収性コア２を厚さ方向（肌側面２Ａと着衣側面２Ｂとの間の方向）に２分したときに、そのうちの一方である肌側面領域の高吸収性ポリマー粒子全体の平均が上述の第１粒子６Ａと同じ径及び吸収速度であり、着衣側領域の高吸収性ポリマー粒子全体の平均が上述の第２粒子６Ｂと同じ径及び吸収速度であってもよい。
【００２７】
繊維シート３は、例えば、粉砕パルプを含む親水性繊維シートである。繊維シート３は、多量の体液が吸収性コア２に流入された場合等において、体液を吸収するために予備的に配置されている。
コアラップシート４は、吸収性コア２の上面（肌側面）、下面（着衣側面）及び側面を被覆する。このコアラップシート４は、ティッシュペーパー等の液透過性を有するシートにより構成される
【００２８】
本実施形態の吸収体１において、肌側面２Ａから尿等の体液が吸収されると、体液は、まず、第１粒子６Ａが配置されている領域を通過する。ここで、第１粒子６Ａは平均粒径が第２粒子６Ｂより大きいので、第１粒子６Ａ同士が近接して配置された場合であっても第１粒子６Ａ間には間隙が確保され、通液性が維持される。よって、ゲルブロックの発生を抑制できる。また、吸収体４の厚さ方向ＴＤにおける高吸収性ポリマー粒子の分布重量差が少ない場合には、肌側面２Ａ側に配置される第１粒子の数は相対的に少なくなる。これにより、肌側面２Ａ側における第１粒子６Ａ間の間隙がより確保されやすくなるので、通液性を更に好適に維持できる。
【００２９】
また、第１粒子６ＡのＶｏｒｔｅｘ方による吸収速度は、２２秒より大きく２５秒以下と第２粒子６Ｂより長い（すなわち、吸収速度が第２粒子より遅い）。このため、体液の吸収量は、第２粒子６Ｂが配置されている領域と比べて小さく、体液は、第１粒子６Ａ間を第２粒子６Ｂ間と比べて早く通過する。したがって、膨潤した高吸収性ポリマー粒子６間で合着する現象であるゲルブロックが起こりにくい。
【００３０】
第１粒子６Ａ間を通過した体液は、着衣側面２Ｂ側に配置された第２粒子６Ｂ間に流れ込む。この第２粒子６Ｂは平均粒径が第１粒子６Ａより小さい。これにより、吸収性コア２における裏面シート１０３（図４参照）側に、粒径の小さい第２粒子６Ｂが配置されているので、外部から裏面シート１０側に力が付加された場合に高吸収性ポリマー粒子の存在に起因して裏面シート１０３が傷つくことを防げる。
【００３１】
また、第２粒子６ＢのＶｏｒｔｅｘ方による吸収速度は、２２秒以下と第１粒子６Ａと比べて短い。したがって、第１粒子６Ａによって吸収されなかった体液は、第２粒子６Ｂによって確実に保持される。
【００３２】
更に、第２粒子６ＢのＶｏｒｔｅｘ法による吸収速度に対する第１粒子６ＡのＶｏｒｔｅｘ法による吸収速度の比を１．０〜１．５の範囲とした場合には、肌側面２Ａ側における体液の透過速度と、着衣側面２Ｂ側における体液の吸収速度とのバランスを好適な状態にできる。これにより、吸収性コア２に含まれる高吸収性ポリマー粒子（第１粒子６Ａ及び第２粒子６Ｂ）を全体的に効率よく吸液させられるので、繊維密度が低く低密度な繊維層５からなる吸収性コア２であっても、過度に体液を拡散させずに吸収させられる。よって、吸収体４からの体液の漏れを低減できる。
【００３３】
さらに、体液の量が多量であって、第２粒子６Ｂによっても保持しきれなかった場合、残りの体液は、吸収性コア２のさらに下層（着衣側）に配置された繊維シート３によって吸収されるので、体液の吸収体１からの漏れがさらに防止される。
【００３４】
また、体液の量が多量であって、吸収性コア２の側面まで体液が流れ出たような場合、その体液は、コアラップシート４によって外部への流入が阻止される。
また、コアラップシート４の側面によって吸収された体液は、コアラップシート４を伝わって下部（着衣側）のコアララップシート４の着衣側まで流れ、この着衣側で保持されることができる。
コアラップシート４は、さらに、側部を流れる体液だけでなく、繊維シート３から漏れ出した、その繊維シート３によっても吸収しきれなかった体液を吸収することもできる。
【００３５】
（第２実施形態）
図２は本発明の第２実施形態の吸収体１Ａを示す図である。第２実施形態の吸収体１Ａは、第１実施形態の吸収体１と、コアラップシート４Ａの着衣側以外同様である。同様の部分には同一の符号を付し、その説明は省略する。
第２実施形態のコアラップシート４Ａは、吸収性コア２の着衣側面を覆う部分の坪量が、吸収性コア２の肌側面を覆う部分の坪量よりも大きい。
【００３６】
本実施形態によると、第１実施形態と同様の効果を有するが、さらに、着衣側に配置されたコアラップシート４は、坪量が大きいため、より体液を多く吸収することができる。
したがって、例えば、体液が大量であって、吸収性コア２による吸収量を超えた場合であっても、吸収性コア２から流れ出た体液は、コアラップシート４の側面を伝わって着衣側の層まで流れ、このコアラップシート４の着衣側によって確実に保持される。
【００３７】
（第３実施形態）
図３は本発明の第３実施形態の吸収体１Ｂを示す図である。第３実施形態の吸収体１Ｂは、第１実施形態の吸収体１と、コアラップシート４Ｂの着衣側以外同様である。同様の部分には同一の符号を付し、その説明は省略する。
第２実施形態のコアラップシート４Ｂは、図１に示すように、吸収性コア２の着衣側面を覆って、吸収性コア２の一側面を延び、吸収性コア２の肌側面を覆って、吸収性コア２の他側面を延び、再度吸収性コア２の着衣側面を覆っている。すなわち、コアラップシート４は、吸収性コア２の着衣側面において二重になっている。
【００３８】
本実施形態によると、第１実施形態と同様の効果を有するが、さらに、着衣側に配置されたコアラップシート４は、二重になっているため、より体液を多く吸収することができる。
したがって、例えば、体液が大量であって、吸収性コア２による吸収量を超えた場合であっても、吸収性コア２から流れ出た体液は、コアラップシート４の側面を伝わって着衣側の層まで流れ、このコアラップシート４の着衣側によって確実に保持される。
なお、本実施形態では、着衣側に配置されたコアラップシートが二重になっている場合について説明したが、これに限定されず、三重以上の多重であってもよい。
【００３９】
（第４実施形態）
次に、前述した吸収体１を備える吸収性物品の一実施形態について説明する。本実施形態では吸収性物品として使い捨ておむつ１００を例に説明する。図４は使い捨ておむつ１００の展開図であり、肌側（肌と当接する側）から見た図である。
【００４０】
使い捨ておむつ１００は、不織布又は開孔プラスチックフィルムからなる液透過性の表面シート１０２と、プラスチックフィルムからなる液不透過性の裏面シート１０３と、これら両シート１０２，１０３間に配置される第１実施形態の吸収体１と、を備える。この使い捨ておむつ１００は、長手方向ＬＤにおける中央部がくびれた長方形状に形成される。
【００４１】
表面シート１０２及び裏面シート１０３は、使い捨ておむつ１００の外形を構成し、吸収体１の周縁から延出した部分を有する。表面シート１０２と裏面シート１０３とは、吸収体１の周縁から延出した部分においてホットメルト接着剤により接合されている。
また、吸収体１は、コアラップシート４が、ホットメルト接着剤を介して表面シート１０２及び裏面シート１０３に接合されている。コアラップシート４と表面シート１０２及び裏面シート１０３との接合によって、吸収体１は、その位置が固定される他に、吸収体１と表面シート１０２との密着性が向上し、排泄された液体が吸収体１に速やかに浸透する。
【００４２】
使い捨ておむつ１００は、長手方向ＬＤの一端側に配置される前胴周り域１０６と、長手方向ＬＤの他端側に配置される後胴周り域１０７と、これら両胴回り域１０６，１０７間に位置する股下域１０８とを有する。
【００４３】
股下域１０８の左右側縁には、内方に湾曲した左右の脚周り側縁１１６を構成する。おむつ１００の内面には、脚周り側縁１１６よりも内側おいて長手方向ＬＤに延びる一対の防漏カフ１１８が形成されている。
カフ１１８は、その前後端縁部１２１，１２２と外側縁部１２３とがおむつ１００内面に固定されている。一方、カフ１１８の内側縁部１２４は非固着状態にあり、おむつ１００の幅方向を二分する中心線（図示せず）に向かって開口する後述のポケット１１８Ａを形成している。
それぞれのカフ１１８の内側縁部１２４には、前後方向に延びる２本の弾性部材１２５Ａ，１２５Ｂが、伸長状態で取り付けられている。図４の展開状態でカフ１１８は表面シート１０２上面に倒伏し、ポケット１１８Ａが閉じた状態にある。
【００４４】
図５は、おむつ１００を着用状態にしたときの、図４のＸ−Ｘ線断面図である。このように、おむつ１００が着用時においてその内面を内側にして前後方向に湾曲すると、弾性部材１２５Ａ，１２５Ｂが収縮し、図示するようにカフ１１８がおむつ１００内面から起立し、ポケット１１８Ａがおむつ１００の内方へ向かって大きく開口する。
【００４５】
カフ１１８は、表面シート１０２の図５における上側（肌側）に貼着された液不透過性フィルムからなる内側シート１２０と、その内側シート１２０のさらに上側に貼着された液不透過性又は液難透過性不織布からなる外側シート１１９の二重構造となっている。ただし、外側シート１１９は内側シート１２０よりも幅方向ＷＤに長いため、カフ１１８の上側において外側シート１１９は一重となっている。
【００４６】
弾性部材１２５Ａ，１２５Ｂは、図５において下から（図４において、おむつ１００の外側から）弾性部材１２５Ｂ，１２５Ａの順に配置されている。この弾性部材１２５Ｂ，１２５Ａは、カフ１１８の外側シート１１９の内面にホットメルト接着剤（図示せず）によって接着されている。
内側シート１２０は、本実施形態においては、外側シート１１９における弾性部材１２５Ｂが配置されている位置よりも内側まで延びている。ただし、これに限定されず、内側シート１２０はさらに幅広、例えば外側シート１１９と同じ幅であっても良い。
【００４７】
本実施形態のおむつ１００においても、尿が吸収される場合、尿は、まず、第１粒子６Ａが配置されている領域を通過する。この際、第１粒子６Ａは平均粒径が第２粒子６Ｂより大きく、また、第１粒子６ＡのＶｏｒｔｅｘ方による吸収速度は、２２秒より大きく２５秒以下と比較的長い。このため、尿の吸収量は第２粒子６Ｂが配置されている領域よりも小さく、尿は、第１粒子６Ａ間を第２粒子６Ｂ間と比べて早く通過する。
【００４８】
第１粒子６Ａ間を通過した尿は、第２粒子６Ｂ間に流れ込む。この第２粒子６Ｂは平均粒径が第１粒子６Ａより小さく、吸収速度が２２秒以下と比較的短い。したがって、第１粒子６Ａによって吸収されなかった尿は、第２粒子６Ｂによって保持される。
さらに、第２粒子６Ｂによっても保持しきれなかった体液は、繊維シート３によって吸収されるので、体液の吸収体１からの漏れがさらに防止される。
【００４９】
このように、本実施形態によると、肌側面２Ａから尿が吸収されると、尿は、まず、第１粒子６Ａが配置されている領域を通過するが、第１粒子６Ａ間は尿の通りが比較的早いので、膨潤した高吸収性ポリマー粒子６間で合着する現象であるゲルブロックが起こりにくい。
【００５０】
第１粒子６Ａ間を通過した尿は、第２粒子６Ｂ間を通過するが、第２粒子６Ｂは平均粒径が第１粒子６Ａより小さく、吸収速度が２２秒以下と比較的短いので、第１粒子６Ａによって吸収されなかった尿は、第２粒子６Ｂによって確実に保持される。
さらに、第２粒子６Ｂによっても保持しきれなかった尿は、繊維シート３によって吸収されるので、尿の吸収体１からの漏れがさらに防止される。
【００５１】
また、尿の量が多量であって、吸収性コア２の側面まで尿が流れ出たような場合、その尿は、コアラップシート４によって外部への流入が阻止される。
また、コアラップシート４の側面によって吸収された尿は、コアラップシート４を伝わって下部（着衣側）のコアラップシート４の着衣側まで流れ、この着衣側で保持されることができる。
コアラップシート４は、さらに、側部を流れる尿だけでなく、繊維シート３から漏れ出した、その繊維シート３によっても吸収しきれなかった尿を吸収することもできる。
【００５２】
さらに、本実施形態のおむつ１００は、カフ１１８が設けられており、カフ１１８の内側は、少なくとも弾性部材１２５Ｂが設けられている位置までは液不透過性フィルムからなる内側シート１２０が延びている。したがって、さらに液漏れの可能性が低く、尿が確実にポケット１１８Ａ内に保持される。
【００５３】
以上、本発明の好適な実施形態について説明したが、本発明はこれに限定されず、例えば、本発明の吸収体１は、上述したおむつ１００の他に、生理用ナプキン等の使い捨ての体液吸収性物品にも使用することができる。
【符号の説明】
【００５４】
１：吸収体、２：吸収性コア、２Ａ：肌側面、２Ｂ：着衣側面、３：繊維層、４：コアラップシート、５：熱可塑性繊維、６：高吸収性ポリマー粒子、６Ａ：第１粒子、６Ｂ：第２粒子、２５：弾性部材、１００：使い捨ておむつ、１０２：表面シート、１０３：裏面シート
【図１】
2013252332.tif 000003
【図２】
2013252332.tif 000004
【図３】
2013252332.tif 000005
【図４】
2013252332.tif 000006
【図５】
2013252332.tif 000007